(57)【要約】      （修正有）【課題】時計部品の保持と保護に関して優れた品質を提供する単純且つ汎用な装置を提供する。【解決手段】時計部品を定位置に保持するための装置を含む箱に関する。装置は、基部２と、第１パーツ３と第２パーツを含む支持物であって、第１パーツ３は、第２パーツに対して可動に取付けられ、時計部品に重みをかけることが意図される第１接触要素３ａ、３ｂと、時計部品に重みをかけることが意図される第２接触要素４ａであって、第１接触要素３ａ、３ｂは第１パーツ３に取付けられ、第２接触要素４ａは前記第２パーツに取付けられ、基部２上で、一方では第１軸１ａ周りに旋回し、他方では第２軸１ｂ周りに第１パーツ３を旋回させるよう取付けられる制御部材１と、を含む。【選択図】図１
2019219381.tif 000002
【特許請求の範囲】
【請求項１】
時計部品（５）を位置に保持するための装置（Ｄ）であって、前記装置は、
基部（２）と、
第１パーツ（３）と第２パーツ（４）を含む支持物（３、４）であって、前記第１パーツは、前記第２パーツに対して可動に取付けられ、
前記時計部品に重みをかけることが意図される第１接触要素（３ａ、３ｂ；３ａ、３ａ’）と、前記時計部品（５）に重みをかけることが意図される第２接触要素（４ａ、４ｄ；４ｅ；４０ｅ、４０ｆ；４ｅ、４ｅ’）であって、前記第１接触要素（３ａ、３ｂ；３ａ、３ａ’）は前記第１パーツに取付けられ、前記第２接触要素（４ａ、４ｄ；４ｅ；４０ｅ、４０ｆ；４ｅ、４ｅ’）は前記第２パーツ（４）に取付けられ、
前記基部（２）上で、一方では第１軸（１ａ）周りに旋回し、他方では第２軸（１ｂ）周りに前記第１パーツを旋回させるよう取付けられる制御部材（１）と、
を含む、装置。
【請求項２】
前記第２パーツは、第３軸（２ａ）周りに前記基部に対して可動に取付けられる、
請求項１に記載の装置。
【請求項３】
前記第１及び第２パーツは、直動関節または摺動接合により結合され、前記第１パーツは特にレールを形成し、前記第２パーツは特にスライドを形成し、または前記第２パーツは特にレールを形成し、前記第１パーツは特にスライドを形成する、
請求項１または２に記載の装置。
【請求項４】
前記第１及び第２パーツは、前記第１及び第３軸を通過する平面に直角なまたは実質的に直角な第４軸（Ａ１）を有するピボット連結により結合される、
請求項２に記載の装置。
【請求項５】
前記第１パーツは少なくとも１つの第１アーム（３ｋ）を含み、前記第２パーツは第２アーム（４ｋ）を含む、
請求項４に記載の装置。
【請求項６】
前記第１アームは、前記第４軸（Ａ１）に平行な前記第２軸（１ｂ）の高さで関節接合され、前記第２アームは、前記第４軸（Ａ１）に平行な前記第３軸（２ａ）の高さで関節接合される、
請求項５に記載の装置。
【請求項７】
少なくとも２つの第１パーツ（３）と少なくとも２つの第２パーツ（４）とを含む、
請求項４から６のいずれか一項に記載の装置。
【請求項８】
前記第２パーツは、前記基部に対して不動に取付けられる、
請求項１に記載の装置。
【請求項９】
前記第１パーツは、ピボット連結により前記第２パーツに対して可動に取付けられ、前記ピボット連結の第５軸（１ｃ）は、スライド（６）内で、特に前記第１軸（１ａ）及びまたは前記第２軸（１ｂ）に直角な軸（Ａ２）を有するスライド内で可動である、
請求項１または８に記載の装置。
【請求項１０】
前記装置は、前記制御部材（１）が前記第１軸周りに旋回するよう移動されると、前記第２軸（１ｂ）が、
前記第３軸（２ａ）または前記第５軸（１ｃ）、及び
前記第１軸（１ａ）
を通過するよう定義される平面と交差する軌跡（６）を追従するように配置され、及び前記第２軸（１ｂ）が前記交差に位置される際、最大の弾性位置エネルギーが前記装置、特に前記支持物に保存される、
請求項１から９のいずれか一項に記載の装置。
【請求項１１】
前記第２パーツは、前記基部に対して第３軸（２ａ）周りに可動に取付けられ、及びまたは前記第１パーツは、前記第２パーツに対して第５軸（１ｃ）周りに可動に取付けられ、前記接触要素（３ａ、３ｂ、４ａ；４ｄ、４ｅ）は前記第２及び第３軸を通過するまたは前記第２及び第５軸を通過する平面に直角にまたは実質的に直角に延長する、及びまたは
前記接触要素（３ａ、３ｂ；３ａ、３ａ’；４ａ；４ｄ；４ｅ；４０ｅ、４０ｆ；４ｅ、  ４ｅ’）は円錐台状である、及びまたは
少なくとも１つの前記第１及び第２接触要素は、前記支持物上に弾性変形可能結合部（３ｃ、３ｄ；４ｆ、４ｇ；３ｋ、４ｋ）経由で取付けられる、及びまたは
少なくとも１つの前記第１及び第２支持物パーツは、前記基部上にまたは前記制御部材上に、弾性変形可能結合部経由で取付けられる、
請求項１から１０のいずれか一項に記載の装置。
【請求項１２】
少なくとも１つの請求項１から１１のいずれか一項に記載の保持装置を含む、時計部品の梱包用箱。
【請求項１３】
前記保持装置は、箱構造上に、特に箱底部上に取付けられる、
請求項１２に記載の梱包用箱。
【請求項１４】
前記保持装置の要素は、特に前記基部（２）は、前記箱構造と、特に前記箱の底部と一体に製造される、
請求項１２に記載の梱包用箱。
【請求項１５】
前記箱（Ｂ）は、箱基部（Ｆ）上に前記第２軸（１ｂ）周りに関節接合される蓋部（Ｃ）を含み、前記制御部材（１）は前記蓋部からなる、
請求項１２から１４のいずれか一項に記載の梱包用箱。
【発明の詳細な説明】
【技術分野】
【０００１】
本発明は、時計部品を位置に保持するための装置に関する。本発明はまた、時計部品の梱包用箱に、特に当該種類の保持装置を含む箱に関する。
【背景技術】
【０００２】
物体を損傷することなく、輸送し、保管し、取扱い、または展示することを可能にするために、物体を梱包する必要性は、広く知られている。例えば、その寸法、形状、脆弱さに関して非常に異なる種類の物体を保護するために、数年にわたり、多数の梱包技術及び素材が開発されてきた。
【０００３】
従来技術の梱包技術及び素材は、極めて専門的なオーダーメイドのデザインか、より多様な物体に適した汎用のデザインのどちらかである。更に、ある梱包技術及び素材は、衝撃の散逸または吸収特性を前提として、対応する損傷に対して物体を保護するため、特に脆弱な物体の梱包に、より適していることが知られている。
【０００４】
このため、例えば衝撃、落下、または摩擦など、出荷、輸送、またはハンドリング中に物体が曝される傾向にある応力に応じて、特定の梱包技術及び素材が頻繁に選択され、特定の物体または品物のために設計されている。特に脆弱な物体に対しては、外部環境から、特に粉塵、汚れ、湿気及び電荷及び梱包自体から生じる可能性のある（例えば揮発性有機化合物などの）汚染から物体を保護することは同等に重要である。
【０００５】
また、梱包から物品を取り外し、その後元に戻すことを可能にすることも必要になりうる。もし物体が、特に脆弱な表面を有している場合、こうした取扱いが、梱包すべき物体の完全性を悪化させないことが重要である。
【０００６】
脆弱な物品用の、汎用衝撃吸収を提供するための周知の技術の一つは、薄膜梱包技術である。代替的解決策は、特許文献１に開示するような、形状記憶フォームを用いることからなる。衝撃に対する保護については非常に効果的であるが、こうした技術は、物体の表面を、接触から、または梱包から生じる例えば揮発性有機化合物などの汚染から保護されることはできず、物体のハンドリングを簡易にすることもない。
【０００７】
部品の輸送、保管、及び展示を可能にする汎用梱包が発展してきた。こうした箱には、一般的には、支持物の役割を果たすインサートが設けられる。こうしたインサートのいくつかは、箱の底の上で旋回可能であり、特許文献２に開示するように手で下げたり上げたりする必要があり、または特許文献３に開示するように蓋部に接合された機構で下げたり上げたりする必要がある。インサートは、所定の物体用に設計される。これら解決策の欠点は、梱包されるべき物体に十分な保持を提供しないことと、物体の完全性を保護しないことである。更に、物体を保持する機能はインサートを作動させる機構の開閉作用から切り離ており、箱が職人により操作される際に物体が劣化するリスクが増大する。
【０００８】
従来技術の梱包が、衝撃や振動に対して脆弱な物体に良好な保護を提供するものの、必要な衝撃吸収基準を達成または維持するために、大きな接触区域が必要となる。また、保持手段は、物体の取扱いを慎重を要するものにさせ、または同様の寸法の物体にまたはこの目的専用の標準固定区域を有する物体のみのために最適化される。
【０００９】
実際、従来技術梱包の多くの形態において、梱包は汎用ではない。梱包は、以下のどちらかである。多様な寸法の物体を収容可能だが、物体の全体に接触しがちであるため、梱包する物体の機能的または脆弱な表面を損傷し、跡を付け、または汚しがちな梱包か、または所定の寸法の、単一及び固有の物体のために設計される梱包である。更に、梱包された物体のハンドリングは容易になるが、これは物体の保持の品質を、そして結果として物体の完全性の保護を損ねるものである。
【先行技術文献】
【特許文献】
【００１０】
【特許文献１】米国特許出願公開第２０１００２９４６７５号
【特許文献１】中国実用新案公開第２０３６１９１９０号
【特許文献１】スイス国特許出願公開第３６８０４９号
【発明の概要】
【発明が解決しようとする課題】
【００１１】
本発明の目的は、上述の欠点を改善し、既知の従来技術装置を改善することを可能にする、保持装置を提供することである。特に、本発明は、時計部品の保持と保護に関して優れた品質を提供する単純且つ汎用装置を提案する。
【課題を解決するための手段】
【００１２】
部品を位置に保持するための、本発明にかかる装置は、請求項１に定義される。
【００１３】
保持装置の異なる実施形態は、従属請求項２から１１に定義される。
【００１４】
時計部品を梱包または保管するための本発明にかかる箱は、請求項１２に定義される。
【００１５】
箱の異なる実施形態は、従属請求項１３から１５に定義される。
【００１６】
添付の図面は、時計パーツの梱包用箱の、２つの実施形態を例として示す。
【図面の簡単な説明】
【００１７】
【図１】図１は、解放位置にある時計部品の梱包用箱の第１変形例の図である。
【図２】図２は、時計部品が箱の中にあり、解放位置にある時計部品の梱包用箱の第１実施形態の第１変形例の図である。
【図３】図３は、時計部品が箱の中にあり、蓋部が図示されない、閉鎖位置にある時計部品の梱包用箱の第１実施形態の第１変形例の図である。
【図４】図４は、時計部品が箱の中にあり、閉鎖位置にある時計部品の梱包用箱の第１実施形態の第１変形例の断面図である。
【図５】図５は、時計部品の梱包用箱の第１実施形態の第１変形例の支持物の分解立体図である。
【図６】図６は、支持物が第１形態にある、時計部品の梱包用箱の第１実施形態の第１変形例の支持物の斜視図である。
【図７】図７は、支持物が第２形態にある、時計部品の梱包用箱の第１実施形態の第１変形例の支持物の斜視図である。
【図８】図８は、支持物が第１形態にあり、時計部品を支持する、時計部品の梱包用箱の第１実施形態の第１変形例の支持物の斜視図である。
【図９】図９は、支持物が第２形態にあり、時計部品を支持する、時計部品の梱包用箱の第１実施形態の支持物の第１変形例の斜視図である。
【図１０】図１０は、解放位置にある、時計部品の梱包用箱の第１実施形態の第２変形例の図である。
【図１１】図１１は、時計部品が箱の中にあり、解放位置にある時計部品の梱包用箱の第１実施形態の第２変形例の図である。
【図１２】図１２は、時計部品が箱の中にあり、半解放位置にある、時計部品の梱包用箱の第１実施形態の第２変形例の図である。
【図１３】図１３は、時計部品が箱の中にあり、閉鎖位置にある、時計部品の梱包用箱の第１実施形態の第２変形例の断面図である。
【図１４】図１４は、時計部品の梱包用箱の第１実施形態の第２変形例の支持物の分解立体図である。
【図１５】図１５は、支持物が第１形態にある、時計部品の梱包用箱の第１実施形態の第２変形例の支持物の斜視図である。
【図１６】図１６は、支持物が第２形態にある、時計部品の梱包用箱の第１実施形態の第２変形例の支持物の斜視図である。
【図１７】図１７は、解放位置にある、時計部品の梱包用箱の第１実施形態の第３変形例の図である。
【図１８】図１８は、時計部品が箱の中にあり、半解放位置にある、時計部品の梱包用箱の第１実施形態の第３変形例の図である。
【図１９】図１９は、第１実施形態の第３変形例の代替策の展開図である。
【図２０】図２０は、半解放位置にある、時計部品の梱包用箱の第２実施形態の図である。
【図２１】図２１は、時計部品が箱の中にあり、解放位置にある、時計部品の梱包用箱の第２実施形態の図である。
【図２２】図２２は、時計部品が箱の中にあり、半解放位置にある、時計部品の梱包用箱の第２実施形態の図である。
【図２３】図２３は、支持物が第１形態にある、時計部品の梱包用箱の第２実施形態の支持物の斜視図である。
【発明を実施するための形態】
【００１８】
箱Ｂの第１実施形態を、図１から１９を参照して以下に説明する。
【００１９】
箱Ｂは、主として、底部Ｆと蓋部Ｃとを含む。
【００２０】
例えば、底部は、底壁Ｆｉと、側壁ＦＬとを含む。底壁は、例えば、平面または実質的に平面である。側壁は、好ましくは、底壁の周囲から延長する。側壁は、例えば底壁へ、直角にまたは実質的に直角に延長する。底壁は、例えば、４つの側壁を有する。側壁は、連結範囲により互いに連結されてもよい。連結範囲は、例えば、梱包トレーへの箱の収容を最適化及びまたは容易にするために、構造を有してもよい。
【００２１】
蓋部Ｃは、例えば、平面または実質的に平面の壁を含む。底部と蓋部とは、蓋部が閉鎖位置にあるときに多少閉鎖され、または多少密封される、箱内部の容積を定義するために、補完される。
【００２２】
１以上のまたは全ての側壁は、蓋部に製造されてもよい。他の代替案は、１以上のまたは全ての側壁を、補完的な態様で、少なくとも一部を底部に一部を蓋部に製造することである。
【００２３】
蓋部は、好ましくは第１軸１ａ周りに底部へ旋回する。この第１軸１ａは、例えば、側壁の先端の１つに、及びまたは側壁に沿って配置される。旋回は、好ましくはヒンジによりもたらされる。
【００２４】
箱Ｂは、特に運搬中またはその保管中に、時計部品５の梱包を可能にする。
【００２５】
箱Ｂは、時計部品５を受けるよう適合され、時計部品５を保持する第１状態または形態と、時計部品を解放する第２状態または形態を設定可能な、少なくとも１つの支持物３、４を含む。このため、箱Ｂに働きかけることにより、時計部品５を保持する形態から時計部品５を解放する形態へ支持物を動かす、または時計部品５を解放する形態から時計部品５を保持する形態へ支持物を動かすことが可能である。
【００２６】
例えば、支持物３、４の形態は、箱Ｂの蓋部Ｃの位置により決定される。
【００２７】
時計部品５の梱包用箱Ｂは、有利には、時計部品５を保持するための少なくとも１つの装置Ｄを含む。本実施形態において、底部Ｆが基部またはフレーム２を形成する。
【００２８】
時計部品５を位置に保持する装置Ｄは、
−第１パーツ３と第２パーツ４を含む支持物３、４であって、第１パーツ３は第２パーツに対して可動に取付けられる、
−支持物３、４を受け、支持するまたは固定するよう適合される、基部またはフレーム２、
−時計部品に重みをかけることが意図される第１接触要素３ａ、３ｂであって、第１接触要素３ａ、３ｂは第１パーツ３に取付けられ、時計部品に重みをかけることが意図される第２接触要素４ａであって、第２接触要素４ａは第２パーツ４に取付けられる、
−基部２に取付けられ、一方では第１軸１ａ周りに旋回し、他方では第２軸１ｂ周りに第１パーツ３に対して旋回する制御部材１、
を含む。
【００２９】
制御部材は、第１及び第２軸を連結するレバーを形成してもよい。
【００３０】
第２パーツ４は、好ましくは、第３軸２ａ周りに基部に対して可動に取付けられ、特に第２パーツ４は、好ましくは第３軸２ａ周りに基部に対して旋回するよう取付けられる。
【００３１】
第１、第２及び第３軸は、好ましくは平行または実質的に平行である。
【００３２】
第３軸２ａは、好ましくは、底部の側壁ＦＬにより区切られる空間に、有利には底部の底壁Ｆｉの近傍にまたは底壁Ｆｉの高さに、位置される。
【００３３】
第１支持物パーツ３は、主としてＴ字型剛性パーツを含む。支持物の第１パーツ３は、第２軸１ｂと同軸に配置された第１バー３ｍと、第１バー３ｍと直角にまたは実質的に直角に配置された第２バー３ｎとを含む。
【００３４】
第１実施形態の最初の２つの変形例において、第２支持物パーツ４は、軸２ａと同軸に配置された第３バー４ｍと、第３バー４ｍと直角にまたは実質的に直角に配置された第４バー４ｎとを含む。第２及び第４バー３ｎ、４ｎは、軸Ａ１に沿って配置される。
【００３５】
第３バー４ｍは、第３軸２ａ周りに底部の底壁Ｆｉの近傍でまたは底壁Ｆｉの高さで、または底部の側壁ＦＬ上で、旋回してもよい。例えば、第３バー４ｍは、側壁ＦＬ上で旋回してもよい。
【００３６】
第１バー３ｍは、蓋部Ｃの近傍でまたは蓋部Ｃの高さで第２軸１ｂ周りに旋回してもよい。
【００３７】
例えば、支持物は、軸Ａ１を通過する平面に対して対称でもよい。
【００３８】
第１実施形態において、第１支持物パーツ３は第２支持物パーツ４に対して可動に取付けられ、例えば第１支持物パーツ３は、軸に沿って第２支持物パーツ４に対して摺動するよう取付けられる。第１実施形態の最初の２つの変形例において、第１支持物パーツ３と第２支持物パーツ４との間の機械的結合は、軸Ａ１に沿った第１及び第２支持物パーツ間の併進の相対的運動を可能にするよう、軸Ａ１に沿った摺動接合、特に直進ジョイントである。摺動接合は、第２支持物パーツ４上の第２案内要素４ｃと協働する、第１支持物パーツ３上の第１案内要素３ｆを含む。例えば、第１案内要素３ｆは、Ｃ字型の断面を有する輪郭を有し、第２案内要素４ｃは、Ｃ字型の断面に少なくとも部分的に補完的な断面を、特に長方形の断面を有する輪郭を有する。代替的に、第２案内要素４ｃはＣ字型の断面を有する輪郭を有してもよく、第１案内要素３ｆは、Ｃ字型の断面に少なくとも部分的に補完的な断面を、特に長方形の断面を有する輪郭を有してもよい。輪郭は、代替的に、それが摺動を可能とする限り、鳩尾型断面など、変化する断面形状を有してもよい。
【００３９】
代替的にまたは追加的に、第２案内要素４ｃは、スライドと協働するよう適合された少なくとも１つのレールを含んでもよく、第２案内要素３ｆは、当該スライドを含んでもよい。
【００４０】
代替的にまたは追加的に、第２案内要素４ｃは、スライドと協働するよう適合された少なくとも１つのスロットを含んでもよく、第２案内要素３ｆは、当該スロットを含んでもよい。
【００４１】
代替的にまたは追加的に、第２案内要素４ｃは、レール３ｆまたはスロットと協働するよう適合された少なくとも１つの固定スライドを含んでもよい。
【００４２】
代替的にまたは追加的に、第２案内要素４ｃは、雌スライド３ｆと協働するよう適合された少なくとも１つの雄スライドを含んでもよい。
【００４３】
図１から９に示す第１実施形態の第１変形例において、装置は、２つの接触要素３ａ、３ｂを含む。２つの接触要素は、第１支持物パーツ３に取付けられる。更に、装置は、第２接触要素４ａを含む。当該第２接触要素は、第２支持物パーツ４に取付けられる。
【００４４】
第１接触要素３ａ、３ｂは、好ましくは、第１支持物サポート３に直角にまたは実質的に直角に、すなわち第１バー３ｍと第２バー３ｎの長手方向で定義される平面に直角にまたは実質的に直角に延長する。
【００４５】
第２接触要素４ａは、好ましくは、第２支持物サポート４に直角にまたは実質的に直角に、すなわち第３バー４ｍと第４バー４ｎの長手方向で定義される平面に直角にまたは実質的に直角に延長する。
【００４６】
第１及び第２接触要素３ａ、３ｂ、４ａは、好ましくは、軸１ｂ及び２ａを通過する平面に直角にまたは実質的に直角に延長する。
【００４７】
第１接触要素３ａ、３ｂのそれぞれは、弾性変形可能結合部３ｃ、３ｄを用いて、第１支持物パーツ３に機械的に結合される。第１接触要素３ａ、３ｂは、共同で、単一の弾性変形可能結合部を用いて、第１支持物パーツ３に機械的に結合されてもよい。
【００４８】
第２接触要素４ａは、第２支持物パーツに堅固に機械的に結合される。代替的に、第２接触要素４ａは、弾性変形可能結合部を介して、第２支持物パーツに機械的に結合されてもよい。
【００４９】
弾性変形可能結合部または複数の弾性変形可能結合部は、例えば、１以上のばねで、特に１以上の板ばねにより設けられてもよい。板ばねまたは複数の板ばねは、好ましくは湾曲し、特に螺旋形状である。例えば、ばねの２つの端部の接線は、両者の間で９０°を超える、または１５０°を超える角度を形成する。
【００５０】
板ばねは、好ましくは、軸１ｂ及び２ａを通過する平面に平行にまたは実質的に平行に延長する。
【００５１】
接触要素の高さにおいて、板ばねは、接触要素が支えることが意図される時計部品５の表面に平行にまたは実質的に平行に延長してもよい。
【００５２】
蓋部に対して第１支持物パーツ３がその周りを旋回する第２軸１ｂは、底部上の蓋部Ｃの第１関節結合軸１ｃから距離をもって配置される。例えば、軸は、蓋部の内面から直角に延長する２つの突出部２３に保持される。
【００５３】
このため、蓋部Ｃは、第１軸１ａ及び第２軸１ｂの間に一定の距離を維持する制御部材１を構成する。
【００５４】
このため、蓋部を操縦することで、第２軸１ｂを、第１軸１ａに対して回転移動させる。
【００５５】
基部は、第３軸２ａに対する支持物の回転を制限するために、第２当接部２２と接触により協働するよう設計された第１当接部２１を含んでもよい。実際、２つの当接部が接触すると、支持物はもはや第３軸２ａ周りに回転可能ではない、すなわち支持物は底部の底壁Ｆｉに向けてもはや移動可能ではない。
【００５６】
図１から９を参照して説明した第１実施例の第１変形例において、接触要素は、箱の蓋部が閉鎖されると、第１接触要素が軸Ａ１に沿って第２接触要素から離れるように、より一般的には少なくとも１つの接触要素は少なくとも１つの他の接触要素から離れるように、構成される。これにより、第１変形例は、時計部品５を、当該時計部品の内部経由で保持されることを可能にする。このため、この種類の第１変形例は、角ばった形状を有する、またはより一般的には例えばベゼル、胴、またはカレンダーディスクといった、穴を含む、時計部品を貯蔵することに対して特に示される。
【００５７】
箱Ｂの第１実施形態の第２変形例を、図１０から１６を参照して以下に説明する。
【００５８】
第１実施形態の第２変形例は、箱の蓋部が閉鎖されると接触要素が、第１接触要素が軸Ａ１に沿って第２接触要素に向かい移動する、より一般的には少なくとも１つの接触要素が、少なくとも１つの他の接触要素に向かい移動するようにされる点で、主として、または排他的に、第１変形例と異なる。このため、第２変形例は、時計部品５を外部から保持することを可能にする。このため、この種類の第２変形例は、例えばガラス、板、ムーブメント、ケース、または文字盤など、固形形状を有する時計部品を保管することに対して特に示される。
【００５９】
第１実施形態の第２変形例において、装置は、２つの第１接触要素３ａ、３ｂを含む。これら２つの接触要素は、第１支持物パーツ３上に取付けられる。加えて、装置は、２つの第２接触要素４ｄ、４ｅを含む。２つの接触要素は、第２支持物パーツ４上に取付けられる。
【００６０】
第１接触要素３ａ、３ｂは、好ましくは、第１支持物パーツ３に直角にまたは実質的に直角に、すなわち第１バー３ｍと第２バー３ｎの長手方向により定義される平面に直角にまたは実質的に直角に延長する。
【００６１】
第２接触要素４ｄ、４ｅは、好ましくは、第２支持物パーツ４に直角にまたは実質的に直角に、すなわち第３バー４ｍと第４バー４ｎの長手方向により定義される平面に直角にまたは実質的に直角に延長する。
【００６２】
第１及び第２接触要素３ａ、３ｂ、４ｄ、４ｅは、好ましくは、軸１ｂ及び２ａを通過する平面に直角にまたは実質的に直角に延長する。
【００６３】
第１接触要素３ａ、３ｂのそれぞれは、弾性変形可能結合部３ｃ、３ｄを用いて、第１支持物パーツ３に機械的に結合される。第１接触要素３ａ、３ｂは、共同で、単一の弾性変形可能結合部を用いて、第１支持物パーツ３に機械的に結合されてもよい。
【００６４】
第２接触要素４ｄ、４ｅのそれぞれは、弾性変形可能結合部４ｆ、４ｇを用いて、第２支持物パーツ４に機械的に結合される。第２接触要素４ｄ、４ｅは、共同で、単一の弾性変形可能結合部を用いて、第２支持物パーツ４に機械的に結合されてもよい。
【００６５】
弾性変形可能結合部または複数の弾性変形可能結合部は、例えば、１以上のばねで、特に１以上の板ばねにより設けられてもよい。板ばねまたは複数の板ばねは、好ましくは湾曲する。例えば、ばねの２つの端部の接線は、両者の間で９０°を超える、または１５０°を超える角度を形成する。
【００６６】
接触要素の高さにおいて、板ばねは、接触要素が支えることが意図される時計部品５の表面に平行にまたは実質的に平行に延長してもよい。
【００６７】
箱Ｂの第１実施形態の第３変形例を、図１７から１９を参照して以下に説明する。
【００６８】
第１実施形態の第３変形例は、第２支持物パーツ４が底部Ｆに対して非可動態様で取付けられる点で、第２変形例と異なる。第２支持物パーツ４は、有利には、底部Ｆと一体である。第２支持物パーツ４は、例えば、２つの突出部４０ｅ及び４０ｆを含んでもよい。第２支持物パーツ４は、保持形態において時計部品５に重みをかけることが意図される、少なくとも１つの接触要素４０ｅ、４０ｆを含む。
【００６９】
第１支持物パーツ３は、基部上で第４軸１ｃ周りに旋回するよう取付けられる。しかしながら、当該変形例において、第４軸１ｃは、制御部材が操縦されると、軸Ａ２に沿って動かされる。当該変形例において、軸Ａ２は、第１軸１ａ及びまたは第２軸１ｂと直角にまたは実質的に直角に、及びまたは基部の底壁Ｆｉに平行に向けられる。第１実施形態の第３変形例において、軸Ａ２との結合は、第１及び第２支持物パーツ３、４の軸Ａ２に沿った相対運動を可能なように設けられる。
【００７０】
本変形実施形態において、軸Ａ２との結合は、摺動接合である。摺動接合は、その中で第４軸１ｃを有する心棒の２つの端部が移動することが意図される、底部Ｆの側面ＦＬ上の溝６により設けられてもよい。第１支持物パーツ３は、時計部品５に重みをかけることが意図される第１接触要素３ａを含む。第１接触要素３ａは、弾性変形可能結合部３ｃを、特に板ばねを介して、第１支持物パーツ３に機械的に結合される。第１支持物パーツ３は、有利には、解放形態において部品の支持を改善するよう適合された、補足接触要素３ｘ、３ｙを含む。
【００７１】
第３変形例の特定の実施にあたり、装置Ｄと箱Ｂは、図１９に示すように、射出成形され、展開され、一体である。第３変形例の当該特定の実施において、第１支持物３は、蓋結合部Ｃ’によって蓋部Ｃに結合される。第１支持物３と蓋結合部Ｃ’は、ヒンジを、特にフィルムヒンジ１１ａを介して結合される。蓋結合部Ｃ’と蓋部Ｃは、第２ヒンジ、特にフィルムヒンジ１０ａにより結合される。蓋部Ｃと基部２とは、第３ヒンジ、特にフィルムヒンジ１ａにより結合される。蓋結合部Ｃ’は、折りたたまれ、例えばクリップ留めまたは両者が互いに一体になるようその他の適切な手段により、蓋部Ｃに固定される。第４軸１ｃを有する心棒は、その後、溝６に挿入することができる。
【００７２】
箱Ｂの第２実施形態を、図２０から２３を参照して以下に説明する。
【００７３】
第２実施形態は、支持物が異なる構造を有する点で、第１実施形態と主として異なる。
【００７４】
第２実施形態において、第２支持物パーツもまた、第３軸２ａ周りに基部に対して可動に取付けられ、第１支持物パーツ３もまた、第２軸１ｂ周りに制御部材に対して可動に取付けられる。しかしながら、第１及び第２支持物パーツ３、４は、第２及び第３軸１ｂ及び２ａを通る平面に直角または実質的に直角な軸Ａ１とピボット連結により結合される。
【００７５】
第１支持物パーツ３は、少なくとも１つの第１アーム３ｋを含む。第２支持物パーツは、少なくとも１つの第２アーム４ｋを含む。
【００７６】
第１アーム３ｋと第２アーム４ｋは、例えば軸Ａ１とピボット連結により結合される。
【００７７】
少なくとも１つの第１アーム３ｋは、軸Ａ１と平行なまたは実質的に平行な第２軸１ｂの高さで、関節接合される。
【００７８】
少なくとも１つの第２アーム４ｋは、軸Ａ１に平行なまたは実質的に平行な第３軸２ａの高さで、関節接合される。
【００７９】
図２０から２３に示すように、装置Ｄは、有利には重複され、２つの第１支持物パーツ３ｋと２つの第２支持物パーツ４ｋを含むように見えてもよい。
【００８０】
当該第２実施形態において、装置は少なくとも１つの第１接触要素３ａを含む。当該接触要素は少なくとも１つの第１支持物パーツ３上に取付けられる。加えて、第２実施形態において、装置は少なくとも１つの第２接触要素４ｅを含む。第２接触要素４ｅは、少なくとも１つの第２支持物パーツ４上に取付けられる。
【００８１】
少なくとも１つの第１接触要素３ａは、好ましくは、少なくとも１つの第１支持物パーツ３に直角にまたは実質的に直角に延長する。
【００８２】
少なくとも１つの第２接触要素４ｅは、好ましくは、少なくとも１つの第２支持物パーツ４に直角にまたは実質的に直角に延長する。
【００８３】
第１及び第２接触要素は、好ましくは、第２及び第３軸１ｂ及び２ａを通過する平面に直角にまたは実質的に直角に延長する。
【００８４】
少なくとも１つの第１接触要素３ａは、弾性変形可能結合部を介して第１支持物パーツ３に機械的に結合されてもよい。ここで弾性結合は、例えば屈曲可能で板ばねと見做すことができる、少なくとも１つのアーム３ｋ自身により構成される。
【００８５】
少なくとも１つの第２接触要素４ｅは、弾性変形可能結合部を介して少なくとも１つの第２支持物パーツ４に機械的に結合されてもよい。ここで弾性結合は、例えば屈曲可能で板ばねと見做すことができる、アーム４ｋ自身により構成される。
【００８６】
代替的にまたは追加的に、アームの端部またはアームの当該端部は、ばねのような弾性変形可能要素により、第２及び第３軸１ｂ及び２ａに沿って所定の位置へ付勢されてもよい。
【００８７】
第２実施形態において、装置Ｄが重複された場合、接触要素は、箱の蓋部が閉じられると、接触要素３ａ、４ｅが第２及び第３軸１ｂ及び２ａに平行な接触要素３ａ’、４ｅ’から離れるように構成される。代替的に、接触要素は、箱の蓋部が閉じられると、第１接触要素が、第２及び第３軸１ｂ及び２ａに直角な第２接触要素に向かい移動されるように構成されてもよい。このように、第２実施形態は、時計部品５が内部または外部のいずれかで保持することを可能にすることから、非常に汎用である。当該第２実施形態は、例えばベゼル、胴、カレンダーディスク、ガラス、板、ムーブメント、ケース、または文字盤といった、各種形状の時計部品の保管に対して示される。
【００８８】
各種実施形態および各種変形例において、特に軸１ａ及びまたは２ａ及びまたは１ｂ及びまたはＡ１周りの回転関節接合は、例えば関節接合されるパーツの接合部分に配置された柔軟性フィルムの形状をとってもよい。
【００８９】
各種実施形態および各種変形例において、接触要素は、円形断面または多角形断面の円錐台状または円筒形状であってもよい。
【００９０】
各種実施形態および各種変形例において、接触要素３ａ、３ｂ、４ａ、４ｄ、４ｅ、３ａ’、４ｅ’は、時計部品５またはその他の適切な形状と少なくとも２つの接触点を定義する１以上のスタッド、バー、または曲線で構成されてもよい。時計部品５の接触要素との接触は、そのデザインにより、連続であっても非連続であってもよい。
【００９１】
各種実施形態および各種変形例において、接触要素の機能は、図３、４及び９に示すように、時計部品５へ作用し、時計部品５を位置決めしてその位置へ保持することである。接触要素は、時計部品５の１以上の表面へ重みをかけるように適合される。
【００９２】
各種実施形態および各種変形例において、接触要素は、時計部品に跡をつけることを避けるため、好ましくは柔軟素材製でありまたは柔軟素材で被膜される。接触要素は、例えば金属、ポリマーまたは形状記憶フォームなど、各種の既知の堅固または柔軟素材製であってよい。このリストはもちろん網羅的なものではない。時計部品のその位置への保持を向上するため、接触要素は有利には、接触要素が時計部品と接触するときに、接触要素が少なくとも部分的に時計部品の形状を取り入れるよう、突出部またはくぼみ部を含んでもよい。
【００９３】
各種実施形態および各種変形例において、時計部品５は、好ましくは少なくとも装置Ｄが保持形態にあるときに、３点で保持される。
【００９４】
各実施形態および各種変形例において、接触要素は、装置Ｄの設計者により自由自在に配置されてもよい。
【００９５】
各実施形態および各種変形例において、装置Ｄは、第１支持物パーツ３及びまたは第２支持物パーツ４上に、時計部品５を支持可能に、特に装置Ｄが時計部品を保持する第１状態または形態にないときに時計部品５を支持可能に適合された、少なくとも１つのベアリング区域を含んでもよい。ベアリング区域は、有利には、バー３ｎ、４ｎ及びまたは弾性結合部、及びまたは板ばね３ｃ、３ｄ、４ｆ、４ｇ及びまたはアーム３ｋ、４ｋ及びまたは接触要素３ａ、３ｂ、４ａ、４ｄ、４ｅ、３ａ’、４ｅ’の少なくとも一部を構成するまたは含む。補完的に、支持物は、第３軸２ａ及び第２軸１ｂを通過する平面対応する平面に、または第３軸２ａ及び第２軸１ｂを通過する平面に平行なまたは実質的に平行な平面において、部品の最適な保持を可能にする支持物要素を含んでもよい。
【００９６】
上述の各実施形態および各種変形例において、保持装置Ｄは箱Ｂの必須部分である。特に、装置の制御部材１は、箱Ｂの蓋部に形成され及びまたは装置の基部２は箱の底部に形成される。しかしながら、保持装置は独立であっても、すなわち箱の底部または蓋部なしで形成されてもよい。
【００９７】
こうした種類の保持装置は、例えばラッカー塗り、ニス塗装、サンドブラスト、浸し塗り、ガルバニック処理、またはレジストによる処理といった処理など、時計部品の取扱いに適するよう適合されてもよい。
【００９８】
各実施形態および各種変形例において、箱Ｂは、独立した保持装置を箱構造に、特に箱の底部及びまたは蓋部に取付けることで得られてもよい。
【００９９】
各実施形態および各種変形例において、図４と図１３の形態で示されるように、装置は有利には、制御部材１が旋回されると、第２軸１ｂが、軸２ａ及び軸１ａを通過すると定義される平面と交差する軌跡６を追従するように構成され、装置は有利には、第２軸１ｂが当該交差の高さまたはそれより低く位置されると、時計部品５が、第２軸１ｂを軸２ａと軸１ａを通過すると定義される平面より下に保持することを可能にする力を付与するように構成される。
【０１００】
各実施形態および各種変形例において、箱Ｂは１またはそれ以上の保持装置を含んでもよい。箱Ｂは、保持装置と同数の時計部品を収容してもよい。装置は、（共通の制御部材により）同時に作動されてもよく、（保持装置と同数の専用の制御部材により）互いに独立して作動されてもよい。
【０１０１】
各実施形態および各種変形例において、箱Ｂは、好ましくは、単一の時計部品を保持するための単一の保持装置を含む。この場合、箱Ｂは有利には、他の同一または類似の箱と、グループパッケージまたは輸送パッケージに挿入可能且つ保管可能な寸法である。
【０１０２】
各実施形態および各種変形例において、保持装置Ｄ及びまたは箱Ｂは、特にポリエチレンまたはポリプロピレンまたはポリ塩化ビニルまたはポリスチレンまたはＡＢＳといったプラスチック素材製である。
【０１０３】
各実施形態および各種変形例において、第１、第２及び第３軸は、好ましくは平行である。
【０１０４】
各実施形態および各種変形例において、第１、第２及び第４軸は、好ましくは平行である。
【０１０５】
各実施形態および各種変形例において、弾性変形可能結合部または複数の弾性変形可能結合部は、好ましくは、弾性柔軟ブレード３ｃ、３ｄ；４ｆ、４ｇ、特に湾曲ブレード、及びまたは接触要素の高さにおいて接触要素が支えることが意図される時計部品５の表面に平行にまたは実質的に平行に延長するブレードを含んでもよい。
【０１０６】
各実施形態および各種変形例において、梱包用箱は、好ましくは、支持物の状態が箱の蓋部の位置により決定されるように構成される。
【０１０７】
上述の保持装置または箱の操作を以下に説明する。
【０１０８】
箱Ｂは当初は開いている及びまたは保持装置は第１形態に位置されると仮定する。第１形態は、時計部品５が保持されない形態である。当該形態において、装置は、好ましくは時計部品５の損傷を防ぐため、時計部品５の保持を簡単にするように位置される。
【０１０９】
当該第１形態において、時計部品５は保持装置上に、特に支持物上に、とりわけ装置Ｄが第１形態にあるときに時計部品５を支持可能に適合されたベアリング区域上に位置される。第１実施形態の第３変形例の場合、時計部品５は、補足接触要素３ｘ、３ｙ上に位置されてもよい。当該ステップの後、図２、１１及び２１に示す状況が得られる。
【０１１０】
保持装置Ｄの制御部材１及びまたは箱Ｂの蓋部Ｃは、その後作用される。特に、制御部材１及びまたは蓋部は、軸１ａ周りに回転される。当該作用の結果、支持物は第１支持物パーツ３の第２支持物パーツに対する動き（第１実施形態の３つの変形例では併進で滑動し、第２実施形態では回転する）により変形される。第１実施形態の第３変形例の場合、当該作用は、溝６内の心棒を、突出部４ｅ及び４ｆが時計部品５に重みをかけるまで動かす。このように、突出部４０ｅ及び４０ｆは、第１パーツの開口切欠４０ｇ、４０ｈと協働する。この運動の作用は、図１２、１８、及び２２に示すように、全ての接触要素が、時計部品５と接触するまで維持される。
【０１１１】
制御部材及びまたは蓋部の運動の作用は、更に、時計部品５の接触要素との接触を超えて維持される。これは上述の弾性結合部の弾性変形により可能になり、弾性結合部を介して接触要素が支持物に取付けられる。制御部材及びまたは蓋部の運動の作用は、その後、軸１ａ、１ｂ、２ａまたは１ａ、１ｂ、１ｃが同一平面にある、不安定の均衡位置に達するまで、弾性結合部３ｃ、３ｄ、４ｆ、４ｇ、３ｋ、４ｋの作用に反して効果をもたらす。当該不安定の均衡位置において、最大の弾性位置エネルギーが装置に、とりわけ支持物に、特に弾性結合部に保存される。
【０１１２】
この不安定の均衡位置を超えると、制御部材及びまたは蓋部の運動の作用は、当接位置に、特に当接部２１による当接部２２への接触位置に達するまで、弾性結合部の作用を補助として効果をもたらす。蓋部Ｃは、底部に対して矢印８の方向に押圧される。例えばクリップ、ラッチ、自己グリップ取付手段など、蓋部Ｃと底部Ｆとの間の箱Ｂの係止手段は、このため必ずしも必要ではない。それでもなお、これらを設けることもできる。箱Ｂ及び装置Ｄは、その後、図３、４、１３に示す閉鎖形態または保持形態になる。
【０１１３】
当該第２形態において、部品は、接触要素の作用を通じ、保持装置により完全に保持される。
【０１１４】
第２形態から第１形態へ移行するための手順は、上述の手順の逆である。
【０１１５】
箱Ｂ及びまたは保持装置Ｄは、箱の蓋部を閉じるにあたり、上述の不安定の均衡位置を通過する時間がないようにしてもよい。この場合、蓋部の動きの作用は、接触要素が時計部品５と接触した直後から蓋部が閉鎖されるまで、弾性結合部の作用に反して効果をもたらす。この場合、好ましくは、例えばクリップ、ラッチ、自己グリップ取付手段など、蓋部Ｃと底部Ｆとの間で箱Ｂを係止するための手段が設けられる。
【０１１６】
箱Ｂ及びまたは保持装置Ｄが、上で定義したように、箱の蓋部を閉じる際に不安定の均衡位置を通る動きがある場合でも、例えばクリップ、ラッチ、自己グリップ取付手段など、蓋部Ｃと底部Ｆとの間で箱Ｂを係止するための手段を設けてもよい。
【０１１７】
上述の箱Ｂは、多様な形状の時計部品の、またはより一般的には多様な形状の物体の輸送、ハンドリング、または保管に用いることができる。
【０１１８】
箱Ｂは、最初に、落下による予想外の衝撃から、また輸送中の振動から、時計部品５を最適に保護することを可能にする。箱Ｂはまた、保管中に環境から時計部品５を保護することを可能にする。箱Ｂはまた、異なる寸法の最大限に広範囲のパーツを収容することを可能にする。更に、物体の導入と摘出は、既知の従来技術の梱包に比べて、容易である。
【０１１９】
上述のように、保持装置は、第１形態において、時計部品５を損傷するリスクをなくしてその保持を容易にすることを可能にし、第２形態において、あらゆる衝撃から保護するために、時計部品５を位置に適切に保持することを可能にする。
【０１２０】
本発明はまた、少なくとも１つの支持物３、４を含む時計部品５の梱包用箱Ｂに関し、支持物は、時計部品を受けるよう適合され、時計部品を保持する第１状態と、時計部品を解放する第２状態との間で構成可能である。
【符号の説明】
【０１２１】
１      制御部材
１ａ    第１軸
１ｂ    第２軸
２      基部
２ａ    第３軸
３      支持物
３ａ、３ｂ    第１接触要素
４      支持物
４ａ、４ｄ、４ｅ    第２接触要素
５      時計部品
Ｂ      箱
Ｃ      蓋部
Ｆ      底部
Ｆｉ    底壁
ＦＬ    側壁
【図１】
2019219381.tif 000003
【図２】
2019219381.tif 000004
【図３】
2019219381.tif 000005
【図４】
2019219381.tif 000006
【図５】
2019219381.tif 000007
【図６】
2019219381.tif 000008
【図７】
2019219381.tif 000009
【図８】
2019219381.tif 000010
【図９】
2019219381.tif 000011
【図１０】
2019219381.tif 000012
【図１１】
2019219381.tif 000013
【図１２】
2019219381.tif 000014
【図１３】
2019219381.tif 000015
【図１４】
2019219381.tif 000016
【図１５】
2019219381.tif 000017
【図１６】
2019219381.tif 000018
【図１７】
2019219381.tif 000019
【図１８】
2019219381.tif 000020
【図１９】
2019219381.tif 000021
【図２０】
2019219381.tif 000022
【図２１】
2019219381.tif 000023
【図２２】
2019219381.tif 000024
【図２３】
2019219381.tif 000025
【外国語明細書】
2019219381000001.pdf
2019219381000002.pdf
2019219381000003.pdf
2019219381000004.pdf